(57)【特許請求の範囲】
【請求項１】
吐出される水の形態をストレート吐水形態とシャワー吐水形態とに切り替える吐水形態切替装置であって、
下流側に向けて設けられた水導出口及び止水部を構成する弁部材と、
前記水導出口の下流側に配置された導水口形成部を有し、該導水口形成部には上流側から供給された水をストレート吐水口に導くためのストレート吐水用導水口及びシャワー吐水孔に導くためのシャワー吐水用導水口が形成された回動部材と、
前記弁部材と前記導水口形成部との間において該導水口形成部を覆うように配置されると共に、前記ストレート吐水用導水口及び前記シャワー吐水用導水口を閉塞しないように形成された複数の通水孔を有し、前記水導出口に連通する位置に無い前記通水孔は前記止水部によって閉塞される一つのシール部材とを備え、
前記シール部材は前記回動部材と一体的に回動し、この回動に伴って、前記水導出口が前記通水孔及び前記ストレート吐水用導水口を介して前記ストレート吐水口に連通する状態と、前記水導出口が前記通水孔及び前記シャワー吐水用導水口を介して前記シャワー吐水孔に連通する状態とに切り替わるように構成されている吐水形態切替装置。
【請求項２】
前記弁部材を前記シール部材に近接離間する方向に移動可能にガイドするガイド手段と、前記弁部材を前記シール部材に近接する方向に付勢する付勢手段とを備えている請求項１に記載の吐水形態切替装置。
【請求項３】
前記弁部材は前記ガイド手段によって特定の方向に向いた状態に保持されるように構成されている請求項２に記載の吐水形態切替装置。
【請求項４】
前記シール部材の上流側の面に前記通水孔の周縁に沿って突条部が設けられているか、または前記通水孔を囲む状態で前記シール部材に当接可能な突条部が前記止水部に設けられている請求項１〜３の何れかに記載の吐水形態切替装置。
【請求項５】
前記止水部が下流側に向けて凸の曲面状に形成されている請求項１〜３の何れかに記載の吐水形態切替装置。
【請求項６】
前記弁部材または前記回動部材の何れか一方に前記回動部材の回動方向に延びるレールが設けられると共に他方に前記レールに当接する当接部分が設けられ、前記回動部材の回動に伴って前記水導出口が前記ストレート吐水口及び前記シャワー吐水孔の両方に連通する状態となる間は、前記弁部材を前記回動部材の導水口形成部から離間させるように、前記レールに高さ方向に傾斜する傾斜部分が設けられている請求項１〜５のいずれかに記載の吐水形態切替装置。
【請求項７】
請求項１〜６のいずれかに記載の吐水形態切替装置を備えた吐水装置。
【発明の詳細な説明】
【技術分野】
【０００１】
この発明は、例えば、ストレート吐水とシャワー吐水とに切り替えることができる吐水形態切替装置及びこれを備えた吐水装置に関する。
【背景技術】
【０００２】
特許文献１に記載された従来の吐水装置は、図２６に示すように、シャワー蛇口本体１０１に対してキャップ１０２が取り付けられ、このキャップ１０２を回転させることにより、ストレート吐水とシャワー吐水とに切り替えることができるというものである。
【０００３】
すなわち、キャップ１０２にはストレート吐水用流路Ｐ１とシャワー吐水用流路Ｐ２とが形成され、キャップ１０２の回転に伴って、図２７に示すようにキャップ１０２の上流側にある弁座流路Ｐ０に対してストレート吐水用流路Ｐ１のみが連通する状態と、図２８に示すように弁座流路Ｐ０に対してシャワー吐水用流路Ｐ２のみが連通する状態とに切り替わる。そして、前者の状態ではストレート吐水が行われ、後者の状態ではシャワー吐水が行われるのであって、必要に応じてキャップ１０２を回転操作することにより何れかの吐水形態を選択的に得ることができる。
【０００４】
より詳しく説明すると、図２９に示すように、キャップ１０２のキャップ本体１０３に設けられた二つの筒体１０４にはメガネパッキン１０５が装着され、このメガネパッキン１０５によってストレート吐水用流路Ｐ１の入口が形成される。そして、キャップ本体１０３の上流側にある弁座１０６に設けられた弁座流路Ｐ０の二つの出口にストレート吐水用流路Ｐ１の入口が相対応する状態では、ストレート吐水が行われる（図２７参照）。
【０００５】
また、この状態からキャップ１０２を回転させ、ストレート吐水用流路Ｐ１の入口（メガネパッキン１０５の上方開口）を弁座１０６で閉じれば、筒体１０４に連設された椀状部分１０７の外側に形成されたシャワー吐水用流路Ｐ２が弁座流路Ｐ０に連通する状態となり、この状態ではシャワー吐水が行われる（図２８参照）。
【０００６】
尚、図２９において、１０８はナット部材であり、図示していない割りリングによってシャワー蛇口本体１０１に回動自在に取り付けられる。そして、このナット部材１０８にはキャップ本体１０３が嵌入され、ナット部材１０８に螺着する押えリング１０９によって、ナット部材１０８、キャップ本体１０３、押えリング１０９は一体化されて回転自在なキャップ１０２となる。
【先行技術文献】
【特許文献】
【０００７】
【特許文献１】実開昭６３−１２６０５４号公報
【発明の概要】
【発明が解決しようとする課題】
【０００８】
ところで、斯かる吐水装置では、その構造上、キャップ１０２が大型化せざるを得ず、キャップ１０２を含む装置全体のコンパクト化を図ることが困難である。この理由について以下に説明する。
【０００９】
図２９に示すように、椀状部分１０７の上面には、二つの筒体１０４と、二つの筒体１０４に対してこれらを囲む状態で装着されるメガネパッキン１０５とが設けられる。また、椀状部分１０７の外側には、多数の先細小孔ｈが形成されシャワー吐水用流路Ｐ２を構成するシャワー面板部分１１０が連設され、さらにこの外側に筒状部分１１１が設けられる。
【００１０】
ここで、ストレート吐水用流路Ｐ１を構成する筒体１０４の径は、ストレート吐水の際の吐水流量を確保する必要上、それほど小さくできず、筒体１０４に装着されるメガネパッキン１０５にも、十分なシール性を発揮させるためにある程度の縁幅は持たせなければならない。そして、これらの制限によって、二つの筒体１０４間の距離は大きくなり、筒体１０４に装着されるメガネパッキン１０５を保持する椀状部分１０７のコンパクト化は困難となる。さらに、シャワー吐水用流路Ｐ２を構成するシャワー面板部分１１０も、シャワー吐水の際の吐水流量を確保する必要があるので、あまり小さくすることはできない。
【００１１】
従って、上記従来の吐水装置では、椀状部分１０７と、この外側に連設されるシャワー面板部分１１０とは、何れもコンパクト化が困難であるのに加えて、シャワー面板部分１１０の外側にはさらに筒状部分１１１が設けられるので、キャップ１０２ひいては装置全体の大型化が避けられない。
【００１２】
本発明は上述の実情に鑑みてなされたもので、その目的は、容易にコンパクト化を図ることができる吐水形態切替装置及びこれを用いた吐水装置を提供することにある。
【課題を解決するための手段】
【００１３】
上記目的を達成するために、本発明に係る吐水形態切替装置は、吐出される水の形態をストレート吐水形態とシャワー吐水形態とに切り替える吐水形態切替装置であって、
下流側に向けて設けられた水導出口及び止水部を構成する弁部材と、
前記水導出口の下流側に配置された導水口形成部を有し、該導水口形成部には上流側から供給された水をストレート吐水口に導くためのストレート吐水用導水口及びシャワー吐水孔に導くためのシャワー吐水用導水口が形成された回動部材と、
前記弁部材と前記導水口形成部との間において該導水口形成部を覆うように配置されると共に、前記ストレート吐水用導水口及び前記シャワー吐水用導水口を閉塞しないように形成された複数の通水孔を有し、前記水導出口に連通する位置に無い前記通水孔は前記止水部によって閉塞される一つのシール部材とを備え、
前記シール部材は前記回動部材と一体的に回動し、この回動に伴って、前記水導出口が前記通水孔及び前記ストレート吐水用導水口を介して前記ストレート吐水口に連通する状態と、前記水導出口が前記通水孔及び前記シャワー吐水用導水口を介して前記シャワー吐水孔に連通する状態とに切り替わるように構成されている（請求項１）。
【００１４】
上記吐水形態切替装置が、前記弁部材を前記シール部材に近接離間する方向に移動可能にガイドするガイド手段と、前記弁部材を前記シール部材に近接する方向に付勢する付勢手段とを備えていてもよい（請求項２）。
【００１５】
上記吐水形態切替装置において、前記弁部材は前記ガイド手段によって特定の方向に向いた状態に保持されるように構成されていてもよい（請求項３）。
【００１６】
上記吐水形態切替装置において、前記シール部材の上流側の面に前記通水孔の周縁に沿って突条部が設けられているか、または前記通水孔を囲む状態で前記シール部材に当接可能な突条部が前記止水部に設けられていてもよい（請求項４）。
【００１７】
上記吐水形態切替装置において、前記止水部が下流側に向けて凸の曲面状に形成されて
いてもよい（請求項５）。
【００１８】
上記吐水形態切替装置において、前記弁部材または前記回動部材の何れか一方に前記回動部材の回動方向に延びるレールが設けられると共に他方に前記レールに当接する当接部分が設けられ、前記回動部材の回動に伴って前記水導出口が前記ストレート吐水口及び前記シャワー吐水孔の両方に連通する状態となる間は、前記弁部材を前記回動部材の導水口形成部から離間させるように、前記レールに高さ方向に傾斜する傾斜部分が設けられていてもよい（請求項６）。
【００１９】
一方、上記目的を達成するために、本発明に係る吐水装置は、請求項１〜６のいずれかに記載の吐水形態切替装置を備えている（請求項７）。
【発明の効果】
【００２０】
請求項１〜７に係る発明では、容易にコンパクト化を図ることができる吐水形態切替装置及びこれを用いた吐水装置が得られる。
【００２１】
すなわち、請求項１〜７に係る発明では、弁部材と導水口形成部との間にシール部材を設け、導水口形成部のストレート吐水用導水口とシャワー吐水用導水口とを相互に接近させて配置することのできる構成を採用しているので、導水口形成部を含む切替装置の小型化、ひいては吐水装置の小型化を容易に図ることができる。
【００２２】
しかも、請求項６に係る発明では、回動部材の回動操作に必要な力を軽減することができ、操作性の向上を図ることができる。
【図面の簡単な説明】
【００２３】
【図１】（Ａ）及び（Ｂ）は、本発明の第１の実施の形態に係る吐水装置の構成を概略的に示す説明図及び部分拡大斜視図である。
【図２】前記吐水装置の主に上側の構成を概略的に示す分解斜視図である。
【図３】前記吐水装置の主に下側の構成を概略的に示す分解斜視図である。
【図４】（Ａ）は前記吐水装置の主に上側のより詳しい構成を概略的に示す分解斜視図、（Ｂ）は（Ａ）のＢ−Ｂ線切断斜視図である。
【図５】（Ａ）は前記吐水装置の主に下側のより詳しい構成を概略的に示す分解斜視図、（Ｂ）は（Ａ）のＢ−Ｂ線切断斜視図である。
【図６】（Ａ）はストレート吐水形態にある前記吐水装置の構成を概略的に示す側面図、（Ｂ）は同図（Ｃ）のＸ−Ｘ線切断断面図、（Ｃ）及び（Ｄ）はストレート吐水形態にある前記吐水装置の構成を概略的に示す底面図及び正面図である。
【図７】（Ａ）〜（Ｅ）はそれぞれ、図６（Ｂ）のＡ−Ａ線、Ｂ−Ｂ線、Ｃ−Ｃ線、Ｄ−Ｄ線、Ｅ−Ｅ線に係る切断断面図である。
【図８】（Ａ）はシャワー吐水形態にある前記吐水装置の構成を概略的に示す側面図、（Ｂ）は同図（Ｃ）のＸ−Ｘ線断面図、（Ｃ）及び（Ｄ）はシャワー吐水形態にある前記吐水装置の構成を概略的に示す底面図及び正面図である。
【図９】（Ａ）〜（Ｅ）はそれぞれ、図８（Ｂ）のＡ−Ａ線、Ｂ−Ｂ線、Ｃ−Ｃ線、Ｄ−Ｄ線、Ｅ−Ｅ線に係る切断断面図である。
【図１０】（Ａ）及び（Ｄ）はストレート吐水形態にあるときの前記吐水装置の吐水形態切替装置の要部の構成を概略的に示す斜視図及び部分切断斜視図、（Ｂ）はストレート吐水形態とシャワー吐水形態との間の形態にあるときの前記吐水形態切替装置の構成を概略的に示す斜視図、（Ｃ）及び（Ｅ）はシャワー吐水形態にあるときの前記吐水形態切替装置の要部の構成を概略的に示す斜視図及び部分切断斜視図である。
【図１１】（Ａ）は前記吐水形態切替装置の要部の構成を概略的に示す斜視図、（Ｂ）は（Ａ）のＢ−Ｂ線切断断面図、（Ｃ）は（Ａ）のＣ−Ｃ線切断断面図である。
【図１２】前記吐水形態切替装置の回動部材及びシール部材の構成を概略的に示す斜視図である。
【図１３】（Ａ）及び（Ｂ）は前記回動部材の主に上側及び下側の構成を概略的に示す斜視図、（Ｃ）〜（Ｅ）は前記回動部材の構成を概略的に示す平面図、底面図及び正面図、（Ｆ）は同図（Ｃ）のＦ−Ｆ線切断断面図、（Ｇ）は同図（Ｃ）のＧ−Ｇ線切断断面図、（Ｈ）は同図（Ａ）のＨ−Ｈ線切断断面図である。
【図１４】（Ａ）及び（Ｂ）は前記吐水形態切替装置の弁部材の主に上側及び下側の構成を概略的に示す斜視図、（Ｃ）及び（Ｄ）は前記弁部材の構成を概略的に示す平面図及び底面図である。
【図１５】（Ａ）〜（Ｄ）は前記吐水形態切替装置の切替装置本体の構成を概略的に示す平面図、底面図、側面図及び斜視図、（Ｅ）は同図（Ａ）のＥ−Ｅ線切断断面図、（Ｆ）は同図（Ａ）のＦ−Ｆ線切断断面図、（Ｇ）は同図（Ｄ）のＧ−Ｇ線切断斜視図である。
【図１６】本発明の第２の実施の形態に係る吐水装置の主に上側の構成を概略的に示す分解斜視図である。
【図１７】本発明の第２の実施の形態に係る吐水装置の主に下側の構成を概略的に示す分解斜視図である。
【図１８】（Ａ）はストレート吐水形態にある前記吐水装置の構成を概略的に示す側面図、（Ｂ）は同図（Ｃ）のＸ−Ｘ線切断断面図、（Ｃ）及び（Ｄ）はストレート吐水形態にある前記吐水装置の構成を概略的に示す底面図及び正面図である。
【図１９】（Ａ）〜（Ｅ）はそれぞれ、図１８（Ｂ）のＡ−Ａ線、Ｂ−Ｂ線、Ｃ−Ｃ線、Ｄ−Ｄ線、Ｅ−Ｅ線に係る切断断面図である。
【図２０】（Ａ）はシャワー吐水形態にある前記吐水装置の構成を概略的に示す側面図、（Ｂ）は同図（Ｃ）のＸ−Ｘ線断面図、（Ｃ）及び（Ｄ）はシャワー吐水形態にある前記吐水装置の構成を概略的に示す底面図及び正面図である。
【図２１】（Ａ）〜（Ｅ）はそれぞれ、図２０（Ｂ）のＡ−Ａ線、Ｂ−Ｂ線、Ｃ−Ｃ線、Ｄ−Ｄ線、Ｅ−Ｅ線に係る切断断面図である。
【図２２】（Ａ）及び（Ｄ）はストレート吐水形態にあるときの前記吐水装置の吐水形態切替装置の要部の構成を概略的に示す斜視図及び部分切断斜視図、（Ｂ）はストレート吐水形態とシャワー吐水形態との間の形態にあるときの前記吐水形態切替装置の構成を概略的に示す斜視図、（Ｃ）及び（Ｅ）はシャワー吐水形態にあるときの前記吐水形態切替装置の要部の構成を概略的に示す斜視図及び部分切断斜視図である。
【図２３】（Ａ）及び（Ｂ）は前記吐水形態切替装置の弁部材の主に上側及び下側の構成を概略的に示す斜視図、（Ｃ）及び（Ｄ）は前記弁部材の構成を概略的に示す平面図及び底面図である。
【図２４】（Ａ）〜（Ｄ）は前記吐水形態切替装置の切替装置本体の構成を概略的に示す平面図、底面図、側面図及び斜視図、（Ｅ）は同図（Ａ）のＥ−Ｅ線切断断面図、（Ｆ）は同図（Ａ）のＦ−Ｆ線切断断面図、（Ｇ）は同図（Ｄ）のＧ−Ｇ線切断斜視図である。
【図２５】（Ａ）はストレート吐水形態にあるときの前記吐水装置の変形例に係る吐水形態切替装置の要部の構成を概略的に示す斜視図、（Ｂ）はストレート吐水形態とシャワー吐水形態との間の形態にあるときの前記吐水形態切替装置の構成を概略的に示す斜視図、（Ｃ）はシャワー吐水形態にあるときの前記吐水形態切替装置の要部の構成を概略的に示す斜視図である。
【図２６】従来の吐水装置の構成を概略的に示す斜視図である。
【図２７】ストレート吐水形態にあるときの従来の吐水装置の要部の構成を概略的に示す説明図である。
【図２８】シャワー吐水形態にあるときの従来の吐水装置の要部の構成を概略的に示す説明図である。
【図２９】従来の吐水装置の構成を概略的に示す分解斜視図である。
【発明を実施するための形態】
【００２４】
以下、本発明の実施の形態について図面を参照しながら説明する。
【００２５】
まず、本発明の第１の実施の形態について説明する。
【００２６】
図１（Ａ）に示すように、本発明の第１の実施の形態に係る吐水装置１はシャワーヘッドであり、洗面台に設置された水栓（湯水混合水栓）２を構成している。尚、吐水装置１は、この吐水装置１を支持する水栓本体側の筒状開口部３に対しセレーション嵌合により着脱自在であり、その軸回りに向きを変更して筒状開口部３に装着することができる構成となっている。また、吐水装置１にはシャワーホース４が接続され、このシャワーホース４は筒状開口部３を挿通しており、吐水装置１を筒状開口部３から離脱させたときには、この離脱に伴ってシャワーホース４の一部が筒状開口部３から外部に引き出された状態となる（図１（Ａ）の仮想線参照）。
【００２７】
そして、図２〜図５に示すように、吐水装置１は左右対称に構成された略筒状のカバー部材５を備え、このカバー部材５は、例えばＡＢＳ樹脂等の合成樹脂からなり、外面にはメッキ処理が施されている。
【００２８】
また、図２及び図３に示すように、このカバー部材５は、前端が閉塞され後端が後向き開口６として開放された略筒状の側壁５ａを有し、後向き開口６からは流路形成部材７が挿入される。また、側壁５ａの前部には前側開口８が設けられ、この前側開口８からは回動部材２９（詳細な構成は後述する）を有する吐水形態切替装置（以下、「切替装置」と略称する。）９が挿入される。尚、吐水装置１において、カバー部材５の内壁面は流路として用いられず、このカバー部材５内に挿入される流路形成部材７及び切替装置９の中に流路が形成される言わば二重構造となっている。
【００２９】
流路形成部材７は、左右対称に構成され、例えばＡＢＳ樹脂等の合成樹脂製からなり、図２及び図３に示すように、後部内壁面にインナーセレーション１０を有し、このインナーセレーション１０が嵌合するアウターセレーション（図示していない）が筒状開口部３（図１参照）に設けられている。
【００３０】
また、流路形成部材７をカバー部材５内に挿入する際に両部材５，７の上下を容易に合致可能とするために、図２及び図３に示すように、カバー部材５の後部内壁面にガイド部（図示例では溝）１１が設けられ、ガイド部１１にガイドされる被ガイド部（図示例では突条）１２が流路形成部材７の後部外壁面におけるガイド部１１に対応する位置に設けられている。尚、本形態ではガイド部１１、被ガイド部１２が三つずつ設けられているが、これらの数は任意に変更可能である。また、例えば、図示例とは逆に、ガイド部１１を突条とし、この突条にガイドされる溝を被ガイド部１２としたり、ガイド部１１どうし、被ガイド部１２どうしが互いに異なる形状や大きさを有するようにしたりするなど、ガイド部１１と被ガイド部１２の構成は種々に変更可能である。
【００３１】
また、本形態では、カバー部材５内の所定位置にまで挿入された流路形成部材７がカバー部材５から不意に抜けることを防ぐために、図３に示すように、流路形成部材７の外面（図示例では下面）に弾性係止片１３が設けられ、この弾性係止片１３が、カバー部材５に設けられた切欠孔１４の内側縁に係止して、カバー部材５内の所定位置にまで挿入された流路形成部材７がカバー部材５から抜けることを妨げるように構成されている（図６（Ｂ）、図８（Ｂ）も参照）。
【００３２】
また、図２〜図５に示すように、流路形成部材７の後部下面には切欠溝１５が形成されている。この切欠溝１５は、流路形成部材７においてこの流路形成部材７をカバー部材５内の所定位置にまで挿入したときに切欠孔１４に臨むことになる位置に設けられており、流路形成部材７の外面から内部空間にまで達している。そして、カバー部材５内に流路形成部材７を挿入し、かつ、この流路形成部材７の後部内にシャワーホース４を進入させた状態で、カバー部材５の切欠孔１４及びこの内側に位置する流路形成部材７の切欠溝１５に対して略Ｕ字形状のホース固定部材１６（図２〜図５参照）を差し込めば、流路形成部材７内に位置するシャワーホース４の先端部４ａがホース固定部材１６によって係止固定され、流路形成部材７から抜けない状態となる。尚、図示していないが、シャワーホースの先端部４ａにおいてホース固定部材１６によって係止される部分よりも先端側の位置にはシール部材（例えばＯリング）が外面に装着され、また、先端部４ａの前側には濾過用の網状部材が配置され、この網状部材の周縁部分は先端部４ａと流路形成部材７の後部内周壁とに挟まれて固定される。
【００３３】
上記のように切欠孔１４及び切欠溝１５に差し込まれたホース固定部材１６は、弾性係止片１３を跨ぎ、かつ切欠孔１４を閉塞する状態となる（図６（Ａ）〜（Ｃ）、図８（Ａ）〜（Ｃ）参照）。そして、ホース固定部材１６を切欠孔１４及び切欠溝１５から取り外せばシャワーホース４を流路形成部材７から引き抜くことができる状態となり、さらにこの後に、切欠孔１４の外側から弾性係止片１３をカバー部材５内に押し込む操作を行えば、切欠孔１４の内側縁に対する弾性係止片１３の係止が解除され、流路形成部材７をカバー部材５から引き抜くことができる状態となる。
【００３４】
一方、切替装置９は、図４（Ａ）及び図５（Ａ）に示すように回動部材２９等の複数の
部材からなるものであり、これらを組付けた状態にしたものを図２及び図３に示してある
。そして、この切替装置９をカバー部材５内に挿入する際に両者５，９の前後を容易に合致可能とするために、図２及び図３に示すように、カバー部材５の前部内壁面にガイド部（図示例ではカバー部材５の前壁から天壁にかけて設けられた略Ｌ字状のガイドレール）１７が設けられ、ガイド部１７にガイドされる被ガイド部（図示例では突条）１８が切替装置９の外壁面におけるガイド部１７に対応する位置（図示例では前壁面及び上壁面のそれぞれ左右方向における中央部）に設けられている。尚、本形態ではガイド部１７をひと続きにして略Ｌ字状に形成してあるが、カバー部材５の前壁に設けられる部分と天壁に設けられる部分とを隔ててあってもよい。また、例えば、図示例とは逆に、ガイド部１７を突条とし、この突条にガイドされるガイドレールあるいは溝を被ガイド部１８としたりするなど、ガイド部１７と被ガイド部１８の構成は種々に変更可能である。
【００３５】
また、カバー部材５に挿入された切替装置９の回動部材２９は、図４（Ａ）及び図５（Ａ）に示す略コ字状の支持部材１９によって支持され、これにより、切替装置９全体が支持されるように構成されている。すなわち、支持部材１９は、例えばステンレス等の金属からなり、二つの脚部分２０と、二つの脚部分２０を繋ぐブリッジ部分２１とを有し、図３に示すように、ブリッジ部分２１は流路形成部材７の前面部に設けられた保持溝２２に保持される。尚、図には表れていないが、保持溝２２には、ブリッジ部分２１を係止固定するための係止部分が設けられ、ブリッジ部分２１が保持溝２２の係止部分に係止固定された状態の支持部材１９は、ブリッジ部分２１を軸にして自由に回動可能な状態となっている。
【００３６】
そして、前側開口８からカバー部材５内に切替装置９を挿入した後、ブリッジ部分２１を保持した状態の流路形成部材７（図２及び図３参照）を後向き開口６からカバー部材５内に挿入すると、支持部材１９の二つの脚部分２０はカバー部材５内に設けられた前後方向に延びる二つのレール５ｂ（図４（Ｂ）、図５（Ｂ）参照）に載って前側に向けて真っ直ぐ延びる状態を保ちながら前方に進み、やがて二つの脚部分２０のそれぞれ先端はカバー部材５内に設けられた図３に示す保持部分（例えば溝）２３に保持される状態となり、切替装置９の回動部材２９は二つの脚部分２０のそれぞれ中間部分によって支持される状態となる（この支持に関する具体的な説明は後述する）。
【００３７】
ここで、図４（Ｂ）、図５（Ｂ）にはカバー部材５の右側のレール５ｂのみが表れているが、レール５ｂはカバー部材５の左側にも設けられている。同様に、図３、図４（Ｂ）、図５（Ｂ）にはカバー部材５の右側の保持部分２３のみが表れているが、保持部分２３はカバー部材５の左側にも設けられている（図７（Ｄ）参照）。また、図４（Ｂ）、図５（Ｂ）に示すように、カバー部材５内において切替装置９が収容される空間の後側には、支持部材１９の二つの脚部分２０のそれぞれ基端部分を保持する保持部分（例えば溝）２４が設けられている（図７（Ｅ）も参照）。尚、レール５ｂの後端部を斜め下方に向け、流路形成部材７を後向き開口６からカバー部材５内に挿入する際に脚部分２０をレール５ｂに載せ易くしてもよい。また、流路形成部材７に、支持部材１９の二つの脚部分２０を前側に向けて真っ直ぐ延びる状態となるように保持する部分を設けてあってもよく、この場合にはレール５ｂは不要となる。
【００３８】
また、図２〜図５に示すように、流路形成部材７の先端部にはシール部材（例えばＯリング）２５が装着される結合部２６が設けられ、この結合部２６に結合される結合口２７が切替装置９の背面上部に設けられている。すなわち、切替装置９を前側開口８からカバー部材５内に挿入した後、流路形成部材７を後向き開口６からカバー部材５内に挿入すると、結合部２６が結合口２７に結合され、流路形成部材７内の流路と切替装置９内の流路とが連通することになる。
【００３９】
上記の構成からなる吐水装置１は、前側開口８からカバー部材５内に切替装置９（回動部材２９）を挿入した後、支持部材１９を保持した状態の流路形成部材７を後向き開口６からカバー部材５内に挿入すると共にシャワーホース４を流路形成部材７の後部に挿入し、ホース固定部材１６を切欠孔１４に差し込むだけで完成する。従って、吐水装置１を組み立てるための工数が少ない上、ガイド部１１及び被ガイド部１２、ガイド部１７及び被ガイド部１８といったガイド手段を設けて各工程を簡便に行えるようにしてあるので、組付施工性が非常に良好となっている。
【００４０】
また、完成後の吐水装置１において、流路形成部材７をカバー部材５から引き抜くためには、ホース固定部材１６を切欠孔１４から取り外すだけでは不十分であり、この取り外しの後に、切欠孔１４の外側から弾性係止片１３をカバー部材５内に押し込み、切欠孔１４の内側縁に対する弾性係止片１３の係止を解除しなければならない構成となっている。従って、例えばシャワーホース４に装着された上記シール部材や網状部材の交換等のメンテナンスを行うために、ホース固定部材１６を取り外してシャワーホース４を流路形成部材７から引き抜いた際に、カバー部材５から引き抜く必要の無い流路形成部材７が支持部材１９と共にカバー部材５から不意に抜け、支持部材１９が抜けたことによって支持されなくなった切替装置９がカバー部材５から落下し、ひいては破損してしまうことを確実に防止することができる。
【００４１】
そして、完成した吐水装置１においては、図１（Ｂ）に示すように、切替装置９の下部がカバー部材５の外部に露出した状態になり、吐水装置１は、この切替装置９の下部に設けられた摘まみ２８を矢印イ方向に操作することにより、吐水装置１からの吐水形態をストレート吐水形態とシャワー吐水形態との二形態に切り替えることができる機能を有している。
【００４２】
以下、この切替え機能を担う切替装置９のより詳細な構成について述べる。
【００４３】
図４（Ａ）及び図５（Ａ）に示すように、摘まみ２８は回動部材２９の一部であり、この回動部材２９は図１３（Ａ）〜（Ｇ）に示す形状（略筒状）をしている。そして、図１３（Ａ）及び（Ｃ）に示すように、回動部材２９の内部には導水口形成部３０が設けられ、この導水口形成部３０には、この導水口形成部３０の上流側（図示例では上側）から供給された水をストレート吐水口３１（図３参照）に導くためのストレート吐水用導水口３２と、シャワー吐水孔３３（図３参照）に導くためのシャワー吐水用導水口３４とが二つずつ形成されている（図１３（Ｄ），（Ｆ）〜（Ｈ）も参照）。
【００４４】
すなわち、回動部材２９内には、その下方から図４（Ａ）及び図５（Ａ）に示す吐水口形成部材３５が取り付けられ、この吐水口形成部材３５は、内筒部３６と外筒部３７とを有し、両筒部３６、３７は環状のシャワー面板部分３８を介して連設されている（図７（Ａ），図９（Ａ）も参照）。そして、内筒部３６の下部がストレート吐水口３１として構成されていると共に、シャワー面板部分３８に多数のシャワー吐水孔３３が設けられている。
【００４５】
尚、回動部材２９に対する吐水口形成部材３５の取付けは、図７（Ａ）及び図９（Ａ）に示すように、回動部材２９の下部内壁面に設けられた雌ねじ部分３９に、吐水口形成部材３５の外筒部３７の外壁面に設けられた雄ねじ部分４０を螺着させることによって行える。また、回動部材２９の内壁面と吐水口形成部材３５の外筒部３７の外壁面との間における雌ねじ部分３９、雄ねじ部分４０よりも下方の位置には、シール部材（例えばＯリング）４１が設けられている。
【００４６】
また、回動部材２９内における導水口形成部３０よりも下側（下流側）の部分は、吐水口形成部材３５が回動部材２９に取り付けられた状態において、ストレート吐水用導水口３２が内筒部３６内に連通し、シャワー吐水用導水口３４が内筒部３６と外筒部３７との間の環状空間に連通するように適宜に区画されている（図１３（Ｆ）〜（Ｈ）参照）。尚、図１３（Ｆ）〜（Ｈ）に示すように、この区画のために回動部材２９内に設けられた小筒部分４２は、その内側の空間がストレート吐水用導水口３２に連通し、また、図７（Ａ）、図９（Ａ）に示すように、小筒部分４２には、シール部材（例えばシートパッキン）４３を介して吐水口形成部材３５の内筒部３６が接続される。
【００４７】
一方、導水口形成部３０の上側（上流側）には、図４（Ａ）、図５（Ａ）、図１０（Ｄ）及び（Ｅ）、図１１（Ａ）〜（Ｃ）に示すように、シール部材（異形パッキン）４４が設けられ、このシール部材４４は、例えばゴム等の弾性材からなり、導水口形成部３０を覆うように配置される。また、シール部材４４には、図１０（Ｄ）及び（Ｅ）、図１１（Ｂ）及び（Ｃ）に示すように、導水口形成部３０のストレート吐水用導水口３２及びシャワー吐水用導水口３４を閉塞しないように形成された複数（図示例では四つ）の通水孔４５が設けられている。
【００４８】
本形態では、回動部材２９の上部に上方に開放された凹部を設け、この凹部内にシール部材４４を収容する構成を採用している。また、シール部材４４を回動部材２９と一体的に回動させる必要があり、そのため、本形態では、図１２に示すように、シール部材４４を略十字形状に構成すると共に、このシール部材４４を収容する前記凹部の形状を、図１３（Ａ）及び（Ｃ）に示すように、シール部材４４の形状に合わせてある。
【００４９】
さらに、シール部材４４の上流側（上側）には、図４（Ａ）、図５（Ａ）、図１４（Ａ）〜（Ｄ）に示す左右対称の形状を有する弁部材４６が配置される。この弁部材４６は、図１４（Ａ）〜（Ｄ）に示すように、二つの貫通孔４７が設けられた略円板状の基部４８を有し、回動部材２９の上部には、この基部４８の周縁を当接可能とする環状段部４９が設けられている（図１３（Ａ）参照）。
【００５０】
そして、この弁部材４６は、図４（Ａ）、図５（Ａ）、図１５（Ａ）〜（Ｇ）に示す形状の切替装置本体５０内に収容され、この切替装置本体５０及び弁部材４６には、弁部材４６をシール部材４４に近接離間する方向に移動可能にガイドし、かつ、特定の方向に向けた状態に保持するガイド手段が設けられている。
【００５１】
すなわち、切替装置本体５０は、結合口２７の他に下流側（本形態では下側）が開放された中空の部材であり、この切替装置本体５０内には、図１５（Ｂ）、（Ｇ）に示すガイド保持部５１が設けられ、このガイド保持部５１にガイド保持される図１４（Ａ）〜（Ｃ）に示す被ガイド保持部５２が弁部材４６に設けられている。本形態では、ガイド保持部５１は、互いに径が異なる複数の円弧壁部分を繋げた形状とされ、被ガイド保持部５２は、ガイド保持部５１の内側に沿い、かつ、貫通孔４７を避けるように切り欠かれた形状とされている。
【００５２】
また、弁部材４６は、図７（Ａ）、図９（Ａ）に示すように、付勢手段（例えばスプリング）５３によってシール部材４４に近接する方向に付勢される。そして、この付勢手段５３を保持するために、切替装置本体５０の天壁下面に図１５（Ｂ）、（Ｇ）に示す保持部５４が設けられ、弁部材４６の基部４８の上面に、図１４（Ａ）及び（Ｃ）に示す保持部５５が設けられている。
【００５３】
また、切替装置本体５０は、内部に付勢手段５３及び弁部材４６を収容した状態で、シール部材４４を保持した状態の回動部材２９の下部を除く部分を覆うように構成されている。ここで、切替装置本体５０の内壁と回動部材２９の外壁との間からの水漏れを防止する必要があるが、本形態では、切替装置本体５０はカバー部材５内において動かないように固定されるのに対し、回動部材２９は摘まみ２８の操作によってその軸回りに回動するものである。そこで、本形態において、両者５０，２９の間に設けられるシール部材５６としては、例えばＵパッキンやＶパッキン等のリップパッキンが挙げられる（図４（Ａ）、図５（Ａ）、図７（Ａ）、図９（Ａ）参照）。
【００５４】
また、回動部材２９の外壁面において切替装置本体５０の下端が当接する部分には、例えばポリエチレン製の滑り面形成部材５７（図４（Ａ）、図５（Ａ）、図７（Ａ）、図９（Ａ）参照）が設けられ、両者５０、２９間の摺動摩擦が減るように構成されている。
【００５５】
また、図１０（Ａ）〜（Ｅ）に示すように、回動部材２９は支持部材１９によって回動可能に支持されるのであり、図１３（Ｅ）に示すように、回動部材２９の外壁面には環状溝５８が設けられ、この環状溝５８の上側に連なり上側（上流側）向きに径が大となる拡径部５９に、支持部材１９の二つの脚部分２０が左右両側から当接する。そして、この構成に対応させて、切替装置本体５０の左右両側には、図１５（Ｃ）、（Ｄ）、（Ｆ）、（Ｇ）に示すように、支持部材１９の二つの脚部分２０を避けるための切欠部分６０、６１が設けられている。尚、本形態では、切替装置本体５０の一面側には貫通孔状の切欠部分６０（図１５（Ｃ）参照）が二つ設けられ、他面側には溝状の切欠部分６１（図１５（Ｆ）参照）が一つのみ設けられているが、切欠部分６０、６１の構成は種々に変更可能である。
【００５６】
そして、本形態では、摘まみ２８が図６（Ａ），（Ｃ），（Ｄ）に示す位置にある場合は、図６（Ｂ）に示すように、ストレート吐水口３１から吐水が行われるストレート吐水形態となる。このときの吐水装置１各部の状態を、図７（Ａ）〜（Ｅ）、図１０（Ａ）、（Ｄ）にも示す。また、摘まみ２８が図８（Ｃ），（Ｄ）に示す位置にある場合は、図８（Ｂ）に示すように、シャワー吐水孔３３から吐水が行われるシャワー吐水形態となる。このときの吐水装置１各部の状態を、図９（Ａ）〜（Ｅ）、図１０（Ｃ）、（Ｅ）にも示す。
【００５７】
すなわち、まず、摘まみ２８の位置に関係なく、流路形成部材７を経て給水口２７から切替装置９内に入った水は、切替装置本体５０内を通って弁部材４６の上流側に至った後、二つの貫通孔４７を経て弁部材４６の下流側に向かう。ここで、弁部材４６の各貫通孔４７は、下流側に向けて設けられた水導出口を構成するものであり、以下、水導出口４７という。
【００５８】
また、弁部材４６の下流側にある回動部材２９の導水口形成部３０に設けられた四つの導水口３２、３４は回動部材２９の中央（回動軸）を避けた位置にあり（図１３（Ｃ）参照）、水導出口４７は、シール部材４４の通水孔４５を介して導水口３２、３４と連通可能となるように、弁部材４６において回動部材２９の軸心を避けた位置に設けられている（図１０（Ｄ），（Ｅ）参照）。従って、回動部材２９の回動に伴って水導出口４７に対する回動部材２９及びシール部材４４の位相が変更され、シール部材４４の通水孔４５を介して水導出口４７に連通する回動部材２９の導水口３２、３４が変更されることになる。
【００５９】
そして、摘まみ２８が図６（Ａ），（Ｃ），（Ｄ）に示す位置にある場合は、水導出口４７には、回動部材２９の導水口形成部３０に設けられた四つの導水口のうち、二つのストレート吐水用導水口３２のみが連通し（図１０（Ｄ）参照）、残る二つのシャワー吐水用導水口３４は連通しない状態となる。
【００６０】
すなわち、図１４（Ｂ）及び（Ｄ）に示すように、弁部材４６の基部４８の下面（下流側の面）は略平面状に形成され、この下面における水導出口４７以外の部位は下流側に向けて設けられた止水部４８ａを構成している。そして、シール部材４４に設けられた四つの通水孔４５のうち、水導出口４７に連通する位置に無い通水孔４５は止水部４８ａによって閉塞され、閉塞された通水孔４５に連通する導水口３２、３４は水導出口４７に連通しない状態となる。
【００６１】
ここで、シール部材４４に設けられた四つの通水孔４５、導水口形成部３０に１対ずつ設けられた導水口３２、３４のうち、水導出口４７に連通する通水孔４５、導水口３２、３４のみに水が流れるように、本形態では、略平面状の止水部４８ａに対向するシール部材４４の上流側（上側）の面に、各通水孔４５の周縁に沿って突条部４４ａ（図１２参照）が設けられ、略平面状のシール部材４４の下流側（下側）の面に対向する導水口形成部３０の上流側（上側）の面に、各導水口３２、３４の周縁に沿って突条部３０ａが設けられている。
【００６２】
尚、止水部４８ａを略平面状とし、かつ、シール部材４４に突条部４４ａを設けるという構成に代えて、シール部材４４の上流側（上側）の面を略平面状にし、弁部材４６の止水部４８ａに、各通水孔４５を囲む状態でシール部材４４に当接可能な突条部を設けるという構成を採用してもよい。同様に、シール部材４４の下流側（下側）の面を略平面状とし、かつ、導水口形成部３０に突条部３０ａを設けるという構成に代えて、導水口形成部３０の上流側（上側）の面を略平面状にし、シール部材４４の下流側（下側）の面に、各導水口３２、３４を囲む状態で導水口形成部３０に当接可能な突条部を設けるという構成を採用してもよい。
【００６３】
従って、摘まみ２８が図６（Ａ），（Ｃ），（Ｄ）に示す位置にある場合、水導出口４７から導出された水は、シール部材４４の通水孔４５、ストレート吐水用導水口３２を通過し、回動部材２９内の小筒部分４２、吐水口形成部材３５の内筒部３６を経て、その先端にあるストレート吐水口３１から吐出される。尚、水が内筒部３６を経る際、内筒部３６内に装着されている整流器（例えば泡沫器）６２を通過するが、この整流器６２としては公知のものを採用可能であり、図面の複雑化を避けるために、整流器６２は図４（Ａ）及び図５（Ａ）のみに概略的に示してある。
【００６４】
また、摘まみ２８を操作して図８（Ｃ），（Ｄ）に示す位置に移動させると、水導出口４７には、回動部材２９の導水口形成部３０に設けられた四つの導水口のうち、二つのシャワー吐水用導水口３４のみが連通し（図１０（Ｅ）参照）、残る二つのストレート吐水用導水口３２は連通しない状態となる。
【００６５】
従って、摘まみ２８が図８（Ｃ），（Ｄ）に示す位置にある場合、水導出口４７から導出された水は、シール部材４４の通水孔４５、シャワー吐水用導水口３４を通過し、吐水口形成部材３５の内筒部３６及び外筒部３７間の環状空間を経て、その先端にあるシャワー面板部分３８の多数のシャワー吐水孔３３から吐出される。
【００６６】
ここで、摘まみ２８の操作に伴う回動部材２９の回動可能な範囲を制限して、摘まみ２８を図６（Ａ），（Ｃ），（Ｄ）に示す位置と図８（Ｃ），（Ｄ）に示す位置とに容易に移動させることができるようにするために、本形態では、回動部材２９の上部に突起６３（図１０（Ｂ）参照）が設けられ、切替装置本体５０内には、突起６３を止める二つのストッパー６４（図１５（Ｂ）、（Ｄ）、（Ｇ）参照、回動部材２９の回動を制限する回動制限部としての一例）が設けられている。
【００６７】
上記吐水装置１では、弁部材４６と導水口形成部３０との間にシール部材４４を設け、導水口形成部３０のストレート吐水用導水口３２とシャワー吐水用導水口３４とを相互に接近させて配置することのできる構成を採用しているので、導水口形成部３０を含む切替装置９の小型化、ひいては吐水装置１の小型化を容易に図ることができる。
【００６８】
また、前側開口８からカバー部材５内に回動部材２９を挿入した後、支持部材１９を保持した状態の流路形成部材７を後向き開口６からカバー部材５内に挿入するだけで回動部材２９の装着が完了する。従って、回動部材２９を装着するための作業が簡単な上、回動部材２９の装着の際にねじ込み作業を不要とすることができるので、回動部材２９の他、支持部材１９や流路形成部材７に過度のストレスが加わらないようにし、ひいては常に適切な装着状態を実現することが容易となる。
【００６９】
次に、本発明の第２の実施の形態について説明する。
【００７０】
第１の実施の形態の弁部材４６は、略平面状に形成された止水部４８ａを有していたが、第２の実施の形態に係る吐水装置の弁部材４６Ａは、図１６、図１７、図２３（Ａ）〜（Ｄ）に示すように、略平面状ではなく下流側（下側）に向けて凸の曲面状に形成された止水部４８ａを有している。これに伴い、第１の実施の形態では、止水部４８ａに対向するシール部材４４の上流側（上側）の面に、各通水孔４５の周縁に沿って突条部４４ａ（図１２参照）が設けられていたが、第２の実施の形態では、突条部４４ａを設けず、シール部材４４の上流側（上側）の面を略平面状としてある。
【００７１】
また、第１の実施の形態の弁部材４６は、水導出口４７を構成する二つの貫通孔を有していたが、第２の実施の形態の弁部材４６Ａは、図１６、図１７、図２３（Ａ）〜（Ｄ）に示すように、水導出口４７を構成する貫通孔を有しておらず、その代わりに、基部４８を小さくし、弁部材４６Ａの基部４８と弁部材４６Ａを収容する切替装置本体５０の内壁との間に隙間が形成されるようにしてあり、この隙間によって水導出口４７が構成されている。
【００７２】
さらに、第２の実施の形態において、弁部材４６をシール部材４４に近接離間する方向に移動可能にガイドし、かつ、特定の方向に向けた状態に保持するガイド手段の構成が、第１の実施の形態のものと異なっている。すなわち、第２の実施の形態におけるガイド保持部５１としては、図２４（Ｂ）、（Ｄ）、（Ｅ）、（Ｇ）に示すように、上下に延びるレール状部分５１ａと、互いに径が異なる複数の円弧壁部分を繋げた形状の壁部分５１ｂとが設けられ、被ガイド保持部５２としては、図２３（Ａ）〜（Ｄ）に示すように、レール状部分５１ａに沿う溝部分５２ａと、壁部分５１ａの内側に沿い、かつ、溝部分５２ａ及び止水部４８ａを避けるように切り欠かれた形状の壁部分５２ｂとが設けられている。
【００７３】
また、第２の実施の形態における切替装置本体５０は図２４（Ａ）〜（Ｇ）に示す構造を有し、この内部の二つのストッパー６４は図２４（Ｄ）、（Ｇ）に示す形状をしており、第１の実施の形態のものと異なっている。
【００７４】
そして、第２の実施の形態では、摘まみ２８が図１８（Ａ），（Ｃ），（Ｄ）に示す位置にある場合は、図１８（Ｂ）に示すように、ストレート吐水口３１から吐水が行われるストレート吐水形態となる。このときの吐水装置１各部の状態を、図１９（Ａ）〜（Ｅ）、図２２（Ａ）、（Ｄ）にも示す。また、摘まみ２８が図２０（Ａ），（Ｃ），（Ｄ）に示す位置にある場合は、図２０（Ｂ）に示すように、シャワー吐水孔３３から吐水が行われるシャワー吐水形態となる。このときの吐水装置１各部の状態を、図２１（Ａ）〜（Ｅ）、図２２（Ｃ）、（Ｅ）にも示す。
【００７５】
そして、回動部材２９が支持部材１９によって回動可能に支持されている点（図２２（Ａ）〜（Ｅ）参照）等、第２の実施の形態におけるその他の構成は、第１の実施の形態と同様であり、共通する構成要素には同一符号を付し、説明を省略する。
【００７６】
尚、第２の実施の形態において、図２５（Ａ）〜（Ｃ）に示すように、回動部材２９に回動部材２９の回動方向に延びるレール７１が設けられると共に、弁部材４６にレール７１に当接する当接部分７２が設けられ、回動部材２９の回動に伴って水導出口４７がストレート吐水口３１及びシャワー吐水孔３３の両方に連通する状態（図２５（Ｂ）参照）となる間は、弁部材４６を回動部材２９の導水口形成部３０から離間させるように、レール７１に高さ方向に傾斜する傾斜部分７３が設けられていてもよい。勿論、逆に、レール７１及び傾斜部分７３に相当する構成が弁部材４６に設けられ、当接部分７２に相当する構成が回動部材２９に設けられていてもよい。
【００７７】
上記のようにレール７１、当接部分７２、傾斜部分７３を設けた場合には、摘まみ２８による回動部材２９の回動操作に必要な力を軽減することができ、操作性の向上を図ることができる。
【００７８】
なお、本発明は、上記の実施の形態に限られず、種々に変形して実施することができる。そこで、以下にその変形例について説明する。
【００７９】
吐水装置１はシャワーホース４を有していないものでもよく、本発明はシャワーヘッド以外の吐水装置にも適用可能である。また、水栓２の設置場所は洗面台に限らず、水栓２自体も湯水混合水栓に限らず例えば単水栓でもよい。
【００８０】
回動部材２９を支持する支持部材１９は流路形成部材７に保持されていなくてもよく、例えば支持部材１９が流路形成部材７と一体化されていてもよい。
【００８１】
ストレート吐水用導水口３２、シャワー吐水用導水口３４が一対ずつ設けられ、通水孔４５が四つ設けられる構成に限らず、例えば、導水口３２、３４が一つずつ設けられ、通水孔４５が二つ設けられていてもよい。
【００８２】
弁部材４６を付勢する付勢手段５３を設けず、給水圧を利用して弁部材４６を付勢するようにしてもよい。さらに、弁部材４６、切替装置本体５０を設けず、水導出口４７及び止水部４８ａがカバー部材５の内壁によって形成されていてもよい。この場合、切替装置本体５０が有する他の必要な機能をカバー部材５の内壁によって担うように構成すればよい。
【００８３】
尚、例えば、第２の実施の形態において述べた、レール７１、当接部分７２、傾斜部分７３を設けるという変形を、第１の実施の形態に適用してもよく、このように、上記各実施の形態の構成及びその変形を、適宜に組み合わせて行ってもよいことはいうまでもない。
【符号の説明】
【００８４】
１    吐水装置
９    吐水形態切替装置
２９    回動部材
３０    導水口形成部
３１    ストレート吐水口
３２    ストレート吐水用導水口
３３    シャワー吐水孔
３４    シャワー吐水用導水口
４４    シール部材
４５    通水孔
４６    弁部材
４７    水導出口
４８ａ  止水部
【図１】
0005495866.tif 000002
【図２】
0005495866.tif 000003
【図３】
0005495866.tif 000004
【図４】
0005495866.tif 000005
【図５】
0005495866.tif 000006
【図６】
0005495866.tif 000007
【図７】
0005495866.tif 000008
【図８】
0005495866.tif 000009
【図９】
0005495866.tif 000010
【図１０】
0005495866.tif 000011
【図１１】
0005495866.tif 000012
【図１２】
0005495866.tif 000013
【図１３】
0005495866.tif 000014
【図１４】
0005495866.tif 000015
【図１５】
0005495866.tif 000016
【図１６】
0005495866.tif 000017
【図１７】
0005495866.tif 000018
【図１８】
0005495866.tif 000019
【図１９】
0005495866.tif 000020
【図２０】
0005495866.tif 000021
【図２１】
0005495866.tif 000022
【図２２】
0005495866.tif 000023
【図２３】
0005495866.tif 000024
【図２４】
0005495866.tif 000025
【図２５】
0005495866.tif 000026
【図２６】
0005495866.tif 000027
【図２７】
0005495866.tif 000028
【図２８】
0005495866.tif 000029
【図２９】
0005495866.tif 000030